(57)【要約】【課題】観音開き式の左右扉の隙間に結露が生じないようにする冷蔵庫を提供する。【解決手段】冷蔵室１４の前面開口部に設けられた左右一対の観音開き式の扉３２，３４と、左扉３２の右側部に設けられた縦仕切り体４０を有し、縦仕切り体４０の前面が曲線形状に前方に膨出し、左扉３２と右扉３４が合わさるそれぞれの部分に縦仕切り体４０を収納する左収納凹部５２と右収納凹部５４が形成されている。【選択図】      図５
2018004199.tif 000002
【特許請求の範囲】
【請求項１】
貯蔵室と、
前記貯蔵室の前面の開口部と、
前記開口部の両側に回動自在にヒンジ部材で軸支され、前記開口部を閉塞する観音開き式の左右扉と、
前記左右扉の一方の扉の反軸支側に取り付けられ、前記扉開閉動作に応じて回動して閉扉時に前記左右扉間の隙間をシールする縦仕切体と、
を有し、
前記縦仕切体の前面が、曲線形状に前方に膨出し、
前記左右扉の前記反軸支側には、前記縦仕切り体が収納される左右収納凹部がそれぞれ形成され、
前記収納凹部には、ガスケットが縦方向に設けられている、
冷蔵庫。
【請求項２】
前記隙間に対応した前記縦仕切り体の前部には、ヒータが収納されている、
請求項１に記載の冷蔵庫。
【請求項３】
前記左右収納凹部は、前記縦仕切り体に対応した曲線形状である、
請求項１に記載の冷蔵庫。
【請求項４】
前記左右扉の前面には、ガラス板が設けられ、
前記ガラス板の縦側部は、前記縦仕切り体の前方に位置すると共に、前記ガスケットよりさらに前記隙間に近い位置にある、
請求項１に記載の冷蔵庫。
【請求項５】
前記左右扉の前面から前記左右収納凹部の前端部までの直線距離ｔ１が、前記左右収納凹部の横方向における全長ｔ２より短い、
請求項１に記載の冷蔵庫。
【請求項６】
前記左右扉の前面から前記左右収納凹部の前端部までの直線距離ｔ１が、前記左右収納凹部の前端部から後端部までの前後方向の距離ｔ３より短い、
請求項１に記載の冷蔵庫。
【請求項７】
前記左右扉の前面から前記収納凹部の前端部までの直線距離ｔ１が、前記ガスケットの横方向における全長ｔ４より短い、
請求項１に記載の冷蔵庫。
【請求項８】
前記縦仕切り体の前部には、前記隙間に侵入する縦突部がさらに前方に突出し、
前記縦突部には、ヒータが収納されている、
請求項１に記載の冷蔵庫。
【発明の詳細な説明】
【技術分野】
【０００１】
本発明の実施形態は、冷蔵庫に関するものである。
【背景技術】
【０００２】
大型の冷蔵庫の冷蔵室には、観音開き式の左右一対の扉が設けられている。この左右扉が相対向する隙間から、冷蔵室の冷気が漏れるのを防止するために、一方の扉の反軸支側には縦仕切り体が設けられ、扉の開閉動作に応じて回動して左右扉間の隙間をシールしている。しかし、この縦仕切り体自体の断熱性は、左右扉の断熱性に比べて弱く、左右扉の隙間や縦仕切り体の前面に結露が発生し易く、従来より縦仕切り体にヒータを設けて、その熱で結露を防止している。
【先行技術文献】
【特許文献】
【０００３】
【特許文献１】特開２０１５−４５４５１号公報
【発明の概要】
【発明が解決しようとする課題】
【０００４】
しかし、縦仕切り体にヒータを設けても、左右扉の隙間に結露が発生する場合があるという問題点があった。
【０００５】
そこで、本発明の実施形態は、上記問題点に鑑み、観音開き式の左右扉の隙間に結露が生じないようにする冷蔵庫を提供することを目的とする。
【課題を解決するための手段】
【０００６】
本発明の実施形態は、貯蔵室と、前記貯蔵室の前面の開口部と、前記開口部の両側に回動自在にヒンジ部材で軸支され、前記開口部を閉塞する観音開き式の左右扉と、前記左右扉の一方の扉の反軸支側に取り付けられ、前記扉開閉動作に応じて回動して閉扉時に前記左右扉間の隙間をシールする縦仕切体と、を有し、前記縦仕切体の前面が、曲線形状に前方に膨出し、前記左右扉の前記反軸支側には、前記縦仕切り体が収納される左右収納凹部がそれぞれ形成され、前記収納凹部には、ガスケットが縦方向に設けられている、冷蔵庫である。
【図面の簡単な説明】
【０００７】
【図１】本発明の実施形態１の冷蔵庫の正面図。
【図２】左右扉を開いた状態の冷蔵庫の斜視図。
【図３】左右扉を閉じた状態の平面図。
【図４】左扉のみを開いた状態の平面図。
【図５】左右扉が合わさる部分の拡大断面図。
【図６】実施形態２の左右扉が合わさる部分の拡大横断面図。
【発明を実施するための形態】
【０００８】
以下、本発明の一実施形態の冷蔵庫１０について図面に基づいて説明する。
【実施形態１】
【０００９】
実施形態１の冷蔵庫１０について図１〜図５に基づいて説明する。
【００１０】
（１）冷蔵庫１０の構造
冷蔵庫１０の構造について図１と図２に基づいて説明する。冷蔵庫１０のキャビネット１２は、内箱と外箱とより形成され、内箱と外箱の間には断熱部材が収納されている。キャビネット１２には、上から冷蔵室１４、野菜室１６、製氷室１８、大型の冷凍室２０が設けられ、製氷室１８の右側には小型冷凍室２２が形成されている。冷蔵室１４と野菜室１６との間には仕切り体２４が設けられている。
【００１１】
冷蔵室１４内における下部には、チルド室２６が設けられ、チルド室２６の左側には、製氷室１８の製氷装置に水を供給するための水タンク２８が収納自在に設けられている。冷蔵室１４内は、複数の水平な棚３０によって仕切られている。
【００１２】
冷蔵室１４の前面の開口部には、観音開き式の左右一対の扉３２，３４が設けられている。左側扉３２の左側部は、冷蔵室１４の前左端部の上下に設けられたヒンジ部材３６によって回動自在に軸支されている。右扉３４は、冷蔵室１４の前右端部の上下に設けられたヒンジ部材３８によって回動自在に軸支されている。左扉３２の右側部（反軸支側）の後面には縦仕切り体４０が設けられている。この縦仕切り体４０については後から詳しく説明する。野菜室１６、製氷室１８、冷凍室２０、小型冷凍室２２には、それぞれ引き出し式の扉１６ａ、１８ａ、２０ａ、２２ａが設けられている。左扉３２、右扉３４、野菜室１６の扉１６ａ、製氷室１８の扉１８ａ、冷凍室２０の扉２０ａ、小型冷凍室２２の扉２２ａの前面は、ガラス板４２によって全て覆われている。
【００１３】
冷凍室１４の天井面の中央部前端部には、左扉３２と右扉３４を開くための押圧部材４４，４６が設けられ、左扉３２の前面にあるタッチ式の開扉スイッチ４８、又は、右扉３４の前面にある右扉開スイッチ４８をタッチすると、押圧部材４４、又は、押圧部材４６からソレノイドにより押圧棒が突出し、左扉３２、又は、右扉３４を開ける。
【００１４】
（２）左扉３２、右扉３４、縦仕切り体４０
左扉３２、右扉３４、縦仕切り体４０について図３〜図５に基づいて説明する。
【００１５】
左扉３２と右扉３４の内部には、図５に示すように、断熱材３３が収納されている。また、左扉３２と右扉３４の前面には、ガラス板４２が設けられている。左扉３２の右側部（反軸支側）には、縦仕切り体４０の左収納凹部５２が形成され、右扉３４の左側部（反軸支側）にも、縦仕切り体４０が収納される右収納凹部５４が形成されている。左収納凹部５２は、図３、図５に示すように、横方向が円弧状であり、左扉３２の後面から右側部にかけて切欠かれている。右収納凹部５４は、図３、図５に示すように、横方向が円弧状であり、右扉３４の後面から左側部にかけて切欠かれている。左扉３２の反軸支側と右扉３４の反軸支側の間には隙間７６が形成されている。
【００１６】
縦仕切り体４０は、図５に示すように、横方向が半円状の膨出部４０１と、膨出部４０１の基部から左側に突出した回転支持片４０２とからなる。回転支持片４０２は、左扉３２の右側部の後面よりやや左に設けられた回転軸５６によって回転自在に取り付けられている。膨出部４０１の前面は、前方に膨出し半円形となっている。膨出部４０１の前面は、金属製である。膨出部４０１内には、断熱部材４１が収納されている。膨出部４０１内であって、隙間７６に対応した膨出部４０１の頂部、すなわち前端部には縦方向に線状のヒータ７８が設けられている。
【００１７】
左収納凹部５２の内周側には、ガスケット５８が設けられている。このガスケット５８の内部には、マグネット６０が設けられ、半円形の膨出部４０１の左側を吸着する。右収納凹部５４の内周側にも、ガスケット６２が設けられている。このガスケット６２の内部にも、マグネット６４が設けられ、半円形の膨出部４０１の右側を吸着する。
【００１８】
左扉３２と右扉３４の閉扉状態において、図３及び図５に示すように、左収納凹部５２と右収納凹部５４の中に縦仕切り体４０の膨出部４０１が収納され、ガスケット５８，６２と吸着する。閉扉状態においては、膨出部４０１のヒータ７８が加熱されている。
【００１９】
（３）縦仕切り体４０の開閉動作状態
縦仕切り体４０が、左扉３２の開閉動作に従い回動動作をするために、図３に示すように、冷蔵室の天井面１５の中央部前端に開扉ガイド部６６と閉扉ガイド部６８が突出している。縦仕切り体４０の上端面には、開扉当接面７０、閉扉当接面７４、切り欠き部７２が設けられている。
【００２０】
これにより、縦仕切り体４０は、左扉３２が開いた状態では、図４に示すように扉表面にほぼ垂直な位置にある。この状態から左扉３２を閉じると、閉扉ガイド部６８は、閉扉当接面７４と当接し、閉扉動作が進むにつれて、閉扉ガイド部６８が閉扉当接面７４を摺動する。縦仕切り体４０は、回転軸５６を中心にして時計回りに回動され、所定角度に回動した時点で不図示の捩りコイルバネの作用により扉表面にほぼ平行な図３に示す位置まで回動する。
【００２１】
逆に、縦仕切り体４０が左扉３２の表面にほぼ平行な位置にある閉扉状態から左扉３２を開くと、開扉ガイド部６６は、開扉当接面７０と当接し、開扉動作が進むにつれて、開扉ガイド部６６が開扉当接面７０を摺動する。縦仕切り体４０は、回転軸５６を中心にして反時計回りに回動され、所定角度に回動した時点で不図示の捩りバネの作用により扉表面にほぼ垂直な位置まで回動する。
【００２２】
（４）効果
本実施形態の効果を説明する。なお、この説明において、図３に示すように左扉３２の前面から左収納凹部５２の前端部までの直線距離（隙間の前後方向の長さ）をｔ１とする。左収納凹部５２の円弧状の全長の長さをｔ２とする。左収納凹部５２の前端部から左扉３２の後面までの直線距離をｔ３とする。ガスケット５８の全長の長さをｔ４とする。左収納凹部５２の前端部と後端部の直線距離をｔ５とする。左扉３２の厚みをＬとする。すなわち、ｔ１＋ｔ３＝Ｌとなる。右収納凹部５４及びガスケット６２の形状及び厚みの寸法は、左収納凹部５２と左右対称である。
【００２３】
本実施形態であると、膨出部４０１にヒータ７８を設けることで、隙間７６の部分の温度低下による結露を防止できる。特に、隙間７６に面した部分にヒータ７８を設けるため、確実に結露を防止できると共に、冷蔵室１４内の冷気を外に逃がさない。また、他の部分をヒータ７８によって加熱しないため、省電力となる。また、ヒータ７８の後部は膨出した厚みのある断熱材４０３によって覆われているため、ヒータ７８の熱が庫内に侵入しない。
【００２４】
また、左右扉３２，３４の反軸支側に左収納凹部５２と右収納凹部５４が設けられることにより、隙間７６の前後方向の長さｔ１を短くでき、また、この左収納凹部５２と右収納凹部５４には、縦仕切り体４０の膨出部４０１が侵入するため、左扉３２と右扉３４との間の隙間７６から侵入する熱を防止して、結露も防止できる。
【００２５】
また、左右扉３２，３４の前面を構成するガラス板４２が、縦仕切り体４０の前方に位置すると共に、左右一対のガスケット５８，６２よりさらに隙間７６を覆う位置にあるため、冷蔵室１４への熱の侵入の防止をより防止でき、さらに、ガラス板４２の覆う面積を広くできるため、意匠的にもきれいに見える。
【００２６】
また、距離ｔ１が、左収納凹部５２と右収納凹部５４の横方向における全長ｔ２より短いため、左収納凹部５２と右収納凹部５４に縦仕切り体４０が侵入した場合、熱が侵入し難い。
【００２７】
また、左右扉３２，３４の前面から左収納凹部５２，右収納凹部５４の前端部までの距離ｔ１が、左収納凹部５２の前端部から左扉３２の後面までの直線距離ｔ３より短いため、従来より縦仕切り体４０によって遮断される部分が広くなり、隙間７６から熱が侵入し難い。
【００２８】
また、距離ｔ１が、ガスケット５８とガスケット６２の横方向における全長ｔ４より短いため、左収納凹部５２と右収納凹部５４に縦仕切り体４０が侵入した場合に、熱が侵入し難い。
【００２９】
また、膨出部４０１が半円形であるため、左収納凹部５２の円弧状の全長の長さをｔ２が、左収納凹部５２の前端部と後端部の直線距離ｔ５より長くなり、熱が侵入し難い。
【実施形態２】
【００３０】
次に、実施形態２の冷蔵庫１０について図６に基づいて説明する。
【００３１】
本実施形態と実施形態１の異なる点は、縦仕切り体４０の構造にある。実施形態１の縦仕切り体４０の前面は半円形であったが、本実施形態ではこの半円形の中央部から隙間７６に向かって縦突部８０がさらに前方に突出している。この縦突部８０の内部にヒータ７８が収納されている。
【００３２】
ヒータ７８を有する縦突部８０が隙間７６に侵入し、この隙間７６から侵入する熱を防止できると共に、結露の防止できる。
【変更例】
【００３３】
上記実施形態では、縦仕切り体４０の膨出部４０１は半円形であったが、これに限らず楕円形、滑らかな曲線形状であってもよい。
【００３４】
上記では本発明の一実施形態を説明したが、この実施形態は、例として提示したものであり、発明の範囲を限定することは意図していない。これら新規な実施形態は、その他の様々な形態で実施されることが可能であり、発明の主旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３５】
１０・・・冷蔵庫、１４・・・冷蔵室、３２・・・左扉、３４・・・右扉、３６・・・ヒンジ部材、３８・・・ヒンジ部材、４０・・・縦仕切り体、４２・・・ガラス板、５２・・・左収納凹部、５４・・・右収納凹部、５６・・・回転軸、５８・・・ガスケット、６２・・・ガスケット、７６・・・隙間、７８・・・ヒータ
【図１】
2018004199.tif 000003
【図２】
2018004199.tif 000004
【図３】
2018004199.tif 000005
【図４】
2018004199.tif 000006
【図５】
2018004199.tif 000007
【図６】
2018004199.tif 000008